(57)【要約】【課題】揺動レバーの動きが安定し、ピストンを復帰させるための付勢手段が液体の影響を受けることがないカム機構を備えたトリガー式ポンプディスペンサーを提供すること。【解決手段】容器本体の口部に取り付け可能なボディ部１と、該ボディ部１に一体化して設けられたシリンダー部２と、該シリンダー部２内を摺動可能なピストン部３と、該ピストン部３を上下に摺動させるためにボディ部１に枢着された天秤アーム部４と、該天秤アーム部４を回動させるトリガー部６と、天秤アーム部４を介してトリガー部６を復帰させるためのスプリング部５と、ボディ部１に取り付けられるカバー部材８と、を備え、前記トリガー部６の動きをカム機構によって天秤アーム部４に伝えるトリガー式ポンプディスペンサーＡ。【選択図】図１
2010137129.tif 000002
【特許請求の範囲】
【請求項１】
容器本体の口部に取り付け可能なボディ部と、該ボディ部に一体化して設けられたシリンダー部と、該シリンダー部内を摺動可能なピストン部と、該ピストン部を上下に摺動させるためにボディ部に枢着された天秤アーム部と、該天秤アーム部を回動させるトリガー部と、天秤アーム部を介してトリガー部を復帰させるためのスプリング部と、ボディ部に取り付けられるカバー部材と、を備え、前記トリガー部の動きをカム機構によって天秤アーム部に伝えることを特徴とするトリガー式ポンプディスペンサー。
【請求項２】
前記スプリング部がＵ字状基部と、該Ｕ字状基部から湾曲して突出し先端部で連結された湾曲バネ部とを有し、前記天秤アーム部が部分的に湾曲バネ部に収納された状態でその後方の一端が前記先端部に上から掛止されていることを特徴とする請求項１記載のトリガー式ポンプディスペンサー。
【請求項３】
前記天秤アーム部が間隔を隔てた一対の壁部を有し、該壁部に形成された各係合孔にピストン部の両側に形成された各係合突起が挿入されることにより両者が連結されていることを特徴とする請求項１記載のトリガー式ポンプディスペンサー。
【請求項４】
前記トリガー部に形成された突出曲面部が、天秤アーム部の前方の一端と接していることを特徴とする請求項１記載のトリガー式ポンプディスペンサー。
【請求項５】
前記トリガー部と天秤アーム部との接触点と、スプリング部のＵ字状基部に対する天秤アーム部の枢着点との距離が、常に一定となっていることを特徴とする請求項１記載のトリガー式ポンプディスペンサー。
【請求項６】
前記スプリング部と天秤アーム部とが切り離し可能な薄肉部を介して一体成形されたものであることを特徴とする請求項１記載のトリガー式ポンプディスペンサー。
【発明の詳細な説明】
【技術分野】
【０００１】
本発明はトリガー部が手前に引き込まれるとピストンがシリンダー内の液体を圧縮し、そのことによって液体をノズル部から噴射するトリガー式ポンプディスペンサーに関する。
【背景技術】
【０００２】
従来、薬液等の液体を所定の箇所に向かって噴射する手段として、トリガー式ポンプディスペンサーが使われている。
トリガー式ポンプディスペンサーでは、使用者がトリガーを握り、それを手前に引き込むと、内蔵されたピストンが可動して、シリンダー内に収容されている液体を圧縮する。
そして、圧縮された液体はノズルから噴射される。
このように、トリガー式ポンプディスペンサーは、トリガーを手前に引き込むという簡便な操作のみで使用可能であるため非常に有用性が高く、様々な分野で使用されている。
【０００３】
このようなトリガーの操作によってピストンを可動させる形式のトリガー式ポンプディスペンサーでは、トリガーとピストンとを直接連結することで二つを連動させるものの他に、トリガーとピストンとを連動させる機構を備えたものも提供されている。
例えば、特許文献１に記載されているトリガー式ポンプディスペンサーにおいては、トリガーを引き込むと、カム機構により揺動レバーが傾き、その揺動レバーがピストンを押し下げる構造となっている。
【０００４】
すなわち、このトリガー式ポンプディスペンサーのトリガーが引き込まれると、トリガーがカムによって揺動レバーを傾倒させ、傾倒した揺動レバーが移送ヘッドを下方に押し込む。
そして、下方に押し込まれた移送ヘッドは、これに結合されているピストンを押し込み、その結果ピストンはシリンダー内の液体を圧縮する。
圧縮された液体はピストンから移送ヘッドへと移動し、最終的に移送ヘッドに取り付けられたノズルから噴射される。
【０００５】
なお、シリンダー内へと押し込まれたピストンは、シリンダー内に配設されたコイルスプリングの復帰力により元の位置へと押し戻される。
ピストンが元の位置へと戻るのに伴い、移送ヘッド及び揺動レバーも元の位置へ戻り、トリガーも揺動レバーとの間のカムによって元の位置へと戻る。
このように、カム機構を有するものは、トリガーとピストンとが直接連結していないので、トリガーに無理な力が加わるようなことがなく、動作が安定する。  
【特許文献１】特許第３０６９３９３号公報
【発明の開示】
【発明が解決しようとする課題】
【０００６】
しかしながら、上記特許文献に記載されているトリガー式ポンプディスペンサーにおいては、揺動レバーの一方の端部をトリガー式レバーで押し上げ、揺動レバーの他方の端部で移送ヘッド（ピストンと同体）を押し下げる構造を採用しており、揺動レバーの自由端で大きな押圧力を加えることから揺動レバー自体に振れが生じ動きが安定しない。
一方では、コイルスプリングがシリンダー内に配設されているため、シリンダー内に収容された液体に常時浸かった状態となり、腐食し易い傾向がある。このことが原因となり、トリガー式ポンプディスペンサーとして、本来の使用耐用期間よりも短くなってしまう。
【０００７】
本発明は上記の課題を解決すべく開発されたものである。
すなわち、揺動レバーの動きが安定し、ピストンを復帰させるための付勢手段が液体の影響を受けることがないカム機構を備えたトリガー式ポンプディスペンサーを提供することを目的とする。
【課題を解決するための手段】
【０００８】
本発明者は、以上のような課題背景をもとに鋭意研究を重ねた結果、ピストンに対して付勢力を与えるための付勢手段を、天秤アームを介してシリンダーの外側に配設することで上記の課題を解決できることを見出し、その知見に基づいて本発明を完成させたものである。
【０００９】
すなわち本発明は（１）、容器本体の口部に取り付け可能なボディ部と、該ボディ部に一体化して設けられたシリンダー部と、該シリンダー部内を摺動可能なピストン部と、該ピストン部を上下に摺動させるためにボディ部に枢着された天秤アーム部と、該天秤アーム部を回動させるトリガー部と、天秤アーム部を介してトリガー部を復帰させるためのスプリング部と、ボディ部に取り付けられるカバー部材と、を備え、前記トリガー部の動きをカム機構によって天秤アーム部に伝えるトリガー式ポンプディスペンサーに存する。
【００１０】
また本発明は（２）、前記スプリング部がＵ字状基部と、該Ｕ字状基部から湾曲して突出し先端部で連結された湾曲バネ部とを有し、前記天秤アーム部が部分的に湾曲バネ部に収納された状態でその後方の一端が前記先端部に上から掛止されている上記（１）記載のトリガー式ポンプディスペンサーに存する。
【００１１】
また本発明は（３）、前記天秤アーム部が間隔を隔てた一対の壁部を有し、該壁部に形成された各係合孔にピストン部の両側に形成された各係合突起が挿入されることにより両者が連結されている上記（１）記載のトリガー式ポンプディスペンサーに存する。
【００１２】
また本発明は（４）、前記トリガー部に形成された突出曲面部が、天秤アーム部の前方の一端と接している上記（１）記載のトリガー式ポンプディスペンサーに存する。
【００１３】
また本発明は（５）、前記トリガー部と天秤アーム部との接触点と、スプリング部のＵ字状基部に対する天秤アーム部の枢着点との距離が、常に一定となっている上記（１）記載のトリガー式ポンプディスペンサーに存する。
【００１４】
また本発明は（６）、前記スプリング部と天秤アーム部とが切り離し可能な薄肉部を介して一体成形されたものである上記（１）記載のトリガー式ポンプディスペンサーに存する。
【００１５】
なお、本発明の目的に添ったものであれば上記の発明を適宜組み合わせた構成も採用可能である。
【発明の効果】
【００１６】
本発明のトリガー式ポンプディスペンサーにおいては、ピストン部に対して付勢力を与えるための付勢手段であるスプリング部が、シリンダー部の外側に配設されているので、スプリング部がシリンダー部内の液体に浸ることが無い。
そのため、噴射させる液体がどのような種類の液体であっても、スプリング部へは全く影響を及ぼさない。
従って、本発明のトリガー式ポンプディスペンサーは従来のトリガー式ポンプディスペンサーに比べ耐久性に優れたものとなる。
【００１７】
また、トリガー部に加えられた力をボディ部に枢着された天秤アーム部を介してピストンに伝達し、これを上下移動させる機構であるため、トリガー部に加えた力が安定的に且つ確実にピストン部に伝わる。このため、安定した吐出操作が可能になる。
【００１８】
前記スプリング部がＵ字状基部と、該Ｕ字状基部から湾曲して突出し先端部で連結された湾曲バネ部とを有し、ピストン部に結合された天秤アーム部が部分的に湾曲バネ部に収納された状態でその後方の一端が湾曲バネ部の先端部に上から掛止されていることで、スプリング部がぐらつかず、スプリング部が発生させる付勢力が天秤アーム部へと確実に伝達される。
【００１９】
天秤アーム部が間隔を隔てた一対の壁部を有し、該壁部に形成された各係合孔にピストン部の両側に形成された各係合突起が挿入されることにより、両部材が確実に連結され、天秤アーム部の動きを的確にピストン部に伝達することができる。
【００２０】
前記トリガー部と天秤アーム部との接触点と、スプリング部のＵ字状基部に対する天秤アーム部の枢着点との距離とが、常に一定となっていることにより、トリガー部を引く力（引き込み力）も、常に一定となりムラが生じなく、手に余計な抵抗を感じることがない。
【発明を実施するための最良の形態】
【００２１】
以下、必要に応じて図面を参照しつつ、本発明の好適な実施形態について詳細に説明する。
なお、図面中、同一要素には同一符号を付すこととし、重複する説明は省略し、上下左右等の位置関係は、特に断らない限り、図面に示す位置関係に基づくものとする。更に、図面の寸法比率は図示の比率に限られるものではない。
【００２２】
図１及び図２は本発明のポンプディスペンサーの一実施形態を示す断面図であり、図１はトリガー部が引き込まれる前を示し、図２はトリガー部が引き込まれた後を示す。
【００２３】
図３及び図４は本実施形態のピストンの内部構造を把握できるように示した断面図であり、図３はトリガー部が引き込まれる前を示し、図４はトリガー部が引き込まれた後を示す。
本実施形態のトリガー式ポンプディスペンサーＡは、液体が収容された容器に取り付けられて使用される。
トリガー部６を手前に引き込むことにより、図示しない容器から液体を一旦シリンダー部２内へと吸い上げ、そこから液体に圧力を与えて噴出させる。
【００２４】
このトリガー式ポンプディスペンサーＡは、ボディ部１に枢着された天秤アーム部４とピストン部３とが連結しており、トリガー部６で天秤アーム部４を回動させてピストン部３を上下動させる機構になっている。
しかも天秤アーム部４は自由端ではない中間位置でピストン部３と接しているため、トリガー部６に加えられた力が確実にピストン部３に伝達され、安定的な吐出操作が可能になる。
また、トリガー部６によって傾倒させられた天秤アーム部４を元の位置に復帰させるためのスプリング部５が、シリンダー部２の外側に配設されている。
そのためスプリング部５がシリンダー部２に収容された液体に全く接触することがない。
その結果、従来のトリガー式ポンプディスペンサーとは異なり、スプリング部５が液体の影響を受けて腐食するようなことが全くなくなり、長期間に渡る安定した使用が可能となる。
さらに、トリガー部６の動きがカム機構によって天秤アーム部４に伝えられるため、トリガー部で直接でピストン部３を押し下げるのと異なって、両部材の結合部分に無理な力が加わらず、機械疲労による破損等が生じ難い。
そのため、長期的な使用が可能になる。
【００２５】
トリガー式ポンプディスペンサーＡは、図１、図２、図３、及び図４に示すように、液体が収容された容器の口部に取り付け可能なボディ部１と、ボディ部１と一体に形成され、容器から吸い上げた液体を一時的に収容するためのシリンダー部２と、シリンダー部２内を摺動し、シリンダー部２内の液体を圧縮するためピストン部３と、ピストン部３を上下に摺動させるために回動する天秤アーム部４と、下向きに回動した天秤アーム部４を元の位置へと復帰させるために、天秤アーム部４に対して付勢力を加えるスプリング部５と、天秤アーム部４を回動させるためのトリガー部６と、圧縮された液体をポンプディスペンサーの外へと噴射させるための流路であるノズル部７と、を備える。
【００２６】
そして、上述したこれらの部品は互いに結合し合い、ポンプディスペンサーの構造体として一つのモジュールを構成している。
なお、カバー部材８はポンプディスペンサーの構造体の内部構造を保護するためにそれを覆うもので、蓋の役割を果たし、外部から内部に異物が入ることを防ぐ。
【００２７】
ボディ部１にはキャップ１１が取り付けられており、キャップ１１が容器の口部に螺合等で固定されることにより、トリガー式ポンプディスペンサーＡは容器に固定される。
なお、キャップ１１の上端には、内方に向かって傾斜して形成された爪部１１Ａが設けられており、トリガー式ポンプディスペンサーＡをキャップ１１に上方から押し込むように挿入すると、ボディ部１の側面に形成された係合溝１Ａに爪部１１Ａが入り込み、ボディ部１とキャップ１１とが確実に結合される。
【００２８】
そして、シリンダー部２の下部には、ピストン部３が内蔵されるシリンダー本体部２Ａよりも縮径して形成された第１縮径部２Ｂ、及びそれに続く更に縮径された第２縮径部２Ｃが設けられている。
第２縮径部２Ｃには、ファーストバルブＦＶが装着され、容器から吸い上げられた液体が逆流して、再び容器内へと戻ることを防止する。すなわち第２縮径部２Ｃのテーパー壁がファーストバルブＦＶの弁ＦＶ１に対する弁座となっている。
【００２９】
また、シリンダー部２の下端部の第２縮径部２Ｃには、弁ＦＶ１に延設された十字形のリブＦＶ２が装着され、ファーストバルブＦＶの上下移動をガイドする。
なお、第２縮径部２Ｃにはチューブ部１０が取り付けられている。
【００３０】
第１縮径部２Ｂには、リークバルブ９が装着されている。このリークバルブ９はポンプディスペンサーＡが転倒した際に、液体がノズル部７から漏れ出ることを防止する（図３及び図４参照）。
【００３１】
ピストン部３が上死点に位置するとき、リークバルブ９の先端部に形成された膨出部９１は、ロッド筒部３１の下端部にテーパーに形成された弁座３２に当接する。
これにより、シリンダー部２とロッド筒部３１との連通は完全に切断され、ポンプディスペンサーＡが転倒した場合でも、液体はノズル部７から漏れ出さない。
【００３２】
ノズル部７とピストン部３のロッド筒部３１とは連通しており、ピストン部３がシリンダー部２内を移動することによってシリンダー本体部２Ａ内の液体が圧縮されると、ノズル部７を通ってポンプディスペンサーＡの外へと噴射される。
【００３３】
ノズル部７は、ノズル口７１、及び該ノズル口７１とピストン部３とを連結するための連結部７２を備えている。
さらに連結部７２のノズル部側の内側には、液体の噴射後にノズル口７１から液体が外気中へ漏れ出さないようにするためのセカンドバルブＳＶが設けられている。
セカンドバルブＳＶの形状は、ファーストバルブＦＶの形状と同様に、円盤状の弁及び十字形のリブが組み合わされた形状となっている。
【００３４】
なお本実施形態のノズル口７１には噴射口が一つだけしか形成されていないが、噴射させる液体の形状を変化させるために、ノズル口７１に互いに形状の異なる噴射孔を複数個設けてもよい。
そのようにした場合、ポンプディスペンサーＡの使用状況に応じて、その場に適した形状の液体を噴射させることができる。
【００３５】
連結部７２は周囲が蛇腹状（ベローズ状）になったチューブであり、一定の伸縮性及び屈曲性を有している。
このように連結部７２が伸縮性及び屈曲性を有しているために、ノズル口７１をボディ部１及びカバー部材８に固定した状態でピストン部３を上下に移動させることができる。
従って、トリガー式ポンプディスペンサーＡでは、液体を噴射させる際にノズル口７１が上下動せず、噴射対象物に向かって狙いを定め易い。
【００３６】
ところで、本発明のスプリング部５は、天秤アーム部４を介してトリガー部６を復帰させるためのものであるが、シリンダー部２の外側に配設されている。
そのためスプリング部５がシリンダー部２に収容された液体に全く接触することがない。
図５は、スプリング部を示す斜視図である。
図に示すように、スプリング部５はＵ字状基部５１と、Ｕ字状基部５１から湾曲して突出し、その先端部５３で連結された一対の湾曲バネ部５２と、で構成されており、Ｕ字状基部５１はボディ部１に形成された基部載置部１Ｂに配設される（図１参照）。
【００３７】
一方、天秤アーム部４はトリガー部６の動きをピストン部３に伝えるためのものである。
図６は、天秤アーム部を示す斜視図である。
図に示すように、天秤アーム部４は、間隔を隔てた一対の壁部４１Ａ、４１Ｂを有し、各壁部には係合突起４２が形成されている。
この係合突起４２がボディ部１の内壁に形成された係合孔１２に嵌まり込むことにより、天秤アーム部４はボディ部１に枢着される（図７参照）。
天秤アーム部４の後方の一端４３はスプリング部５の先端部５３に上から掛止される。従って、天秤アーム部４とスプリング部５との接触部分は極めて少ない。
さらにこのとき、天秤アーム部４はスプリング部５が有する一対の湾曲バネ部５２の間に挟まれるようにして部分的に収納された状態となるため、天秤アーム部４がスプリング部５に対してぐらつかない。
その結果、スプリング部５は天秤アーム部４に対して的確に復帰力を与えることができる。
【００３８】
また、天秤アーム部４の各壁部４１Ａ、４１Ｂにおいて、係合孔４４が係合突起４２の形成位置よりも後方に形成されている。
この係合孔４４にピストン部３の両側に形成された係合突起３３が挿入されることにより、天秤アーム部４はピストン部３に枢着される（図８）。
天秤アーム部４がボディ部１との枢着点Ｐ１を中心に回動すると、その動きに合わせてピストン部３がシリンダー部２内を上下動するようになっている。
このように天秤アーム部４が、ピストン部３を抱えるように配設されているので、両部材の連結が確実となり、天秤アーム部４は安定的にピストン部３を上下動させることができる。
【００３９】
ところで、ポンプディスペンサーの重要な組み付け部品である天秤アーム部４とスプリング部５とは、同じ材料で同じように高品質となることが好ましい。
そのため、天秤アーム部４とスプリング部５とは、製造時には一体となって成形される。
すなわち、図９に示すように、一つの金型から切り離し可能な薄肉部Ｔを介して天秤アーム部４の後方の一端４３とスプリング部５の先端部５３とが一体に射出成形され、効率的に製造される。
【００４０】
ここでカム機構について述べると、トリガー部６はボディ部１に枢着され、枢着点Ｐ２を中心に回動自在になっている。
トリガー部６に形成された突出曲面部６Ａは、天秤アーム部４の前方端に形成された曲面部４Ａに当接している（図１参照）。
いま、トリガー部６が手前に引き込まれると、突出曲面部６Ａに当接している曲面部４Ａを押し上げて天秤アーム部４を回動させる。
このようにトリガー部６の突出曲面部６Ａはカム面として機能し、天秤アーム部４の曲面部４Ａはフォロワーとして機能し、両者でカム機構を構成する。
【００４１】
ところで、本発明においては、このようにトリガー部６の動きを、カム機構を使って天秤アーム部４に伝達する原理を採用しているため、極力、トリガー部６の動きがムラなく円滑に行われることが好ましい。
本発明のトリガー式ポンプディスペンサーＡでは、トリガー部６と天秤アーム部４との接触点Ｑ（詳しくは、突出曲面部６Ａと曲面部４Ａとの接触点）と、天秤アーム部４のボディ部１における枢着点Ｐ１との距離Ｌが、トリガー部６の動きの全行程で常に一定になるように設計されている。
【００４２】
すなわち、図１０（Ａ）に示すように、トリガー部６が引き込まれる以前におけるトリガー部６と天秤アーム部４との接触点Ｑと、天秤アーム部４のボディ部１における枢着点Ｐ１との距離Ｌは、トリガー部６が完全に引き込まれた後も同じである（図１０（Ｂ）参照）。
トリガー部６の回動中は、距離Ｌは常に一定であるので、トリガー部６を引く力（引き込み力）も、常に一定となりムラがない。
手に余計な抵抗を感じることがなく、疲れない。
これはトリガー部６の動きをカム機構によって天秤アーム部４に伝える構造としたことで可能となった。  
上述したこれらの部品の材質は合成樹脂であり、主として射出成形により製造される。そして、シリンダー部２、ボディ部１、キャップ１１にはポリプロピレン樹脂（ＰＰ）、トリガー部６にはポリオキシメチレン（ポリアセタール）樹脂（ＰＯＭ）、ピストン部３には直鎖状リニア低密度ポリエチレン樹脂（ＬＬＤＰＥ）が好適である。
【００４３】
以上、本発明をその一実施形態を例に説明したが、本発明は上述した実施形態のみに限定されるものではなく、種々の変形が可能である。
【図面の簡単な説明】
【００４４】
【図１】図１は、本実施形態のポンプディスペンサーを示す断面図である。
【図２】図２は、本実施形態のポンプディスペンサーを、トリガーを引き込んだ状態で示す断面図である。
【図３】図３は、本実施形態のポンプディスペンサーのピストン部の内部（トリガー部を引き込む前の状態）を断面で示した図である。
【図４】図４は、本実施形態のポンプディスペンサーのピストン部の内部（トリガー部を引き込んだ状態）を断面で示した図である。把握できるように、且つトリガー部を引き込んだ状態で示す断面図である。
【図５】図５は、スプリング部を示す斜視図である。
【図６】図６は、天秤アーム部を示す斜視図である。
【図７】図７は、天秤アーム、スプリング、及びボディ部の組付け関係を示す図である。
【図８】図８は、ピストン部と天秤アームとの連結状態を示す斜視図である。
【図９】図９は、天秤アーム部及びスプリング部を一体成形した状態を示す説明図である。
【図１０】図１０は、トリガー部の回動前と回動後におけるトリガー部と天秤アーム部との接触点から枢着点までの距離関係を示す説明図であり、（Ａ）はトリガー部を引き込む前を示し、（Ｂ）はトリガー部を引き込んだ後を示す。
【符号の説明】
【００４５】
Ａ・・・ポンプディスペンサー
１・・・ボディ部
１１…キャップ
１１Ａ…爪部
１２…係合孔
１Ａ・・・係合溝
１Ｂ・・・基部載置部
２・・・シリンダー部
２Ａ・・・シリンダー本体部
２Ｂ・・・第１縮径部
２Ｃ・・・第２縮径部
３・・・ピストン部
３１・・・ロッド筒部
３２・・・弁座
３３…係合突起
４・・・天秤アーム部
４１Ａ・・・壁部
４１Ｂ・・・壁部
４２・・・係合突起
４３・・・後方の一端
４４・・・係合孔
４Ａ・・・曲面部
５・・・スプリング部
５１・・・Ｕ字状基部
５２・・・湾曲バネ部
５３・・・先端部
６・・・トリガー部
６Ａ・・・突出曲面部
７・・・ノズル部
７１・・・ノズル口
７２・・・連結部
８・・・カバー部材
９・・・リークバルブ
９１・・・膨出部
１０・・・チューブ部
ＦＶ・・・ファーストバルブ
ＦＶ１・・・弁
ＦＶ２・・・十字形のリブ
ＳＶ・・・セカンドバルブ
Ｔ・・・薄肉部
【図１】
2010137129.tif 000003
【図２】
2010137129.tif 000004
【図３】
2010137129.tif 000005
【図４】
2010137129.tif 000006
【図５】
2010137129.tif 000007
【図６】
2010137129.tif 000008
【図７】
2010137129.tif 000009
【図８】
2010137129.tif 000010
【図９】
2010137129.tif 000011
【図１０】
2010137129.tif 000012